(57)【要約】【課題】使い勝手を向上した回転ブラシを備えた床ブラシを提供する。【解決手段】ブラシ台１４の軸方向の一端面から他端面に亘って、ブラシ台１４を軽量化する肉抜き孔３５をブラシ台１４の外周面と接しない状態でブラシ台１４の軸方向に沿って複数貫通して設ける。肉抜き孔３５に嵌合するリブ４３を備えた受板４１にて、ブラシ台１４の両端部を互いに相対的に周方向に向けて螺旋状に捻った状態でシャフト３２に対して保持する。ブラシ部材２１と掻取部材２２とを取り付けた状態でブラシ台１４の外周面に凹凸を形成せず、掃除の際に塵埃が引っ掛かることを防止して、使い勝手を向上できる。【選択図】        図１
2004344345.tif 000002
【特許請求の範囲】
【請求項１】
外周面に突出して清掃部材が設けられた軸状の取付部材と、
この取付部材の少なくとも一端面から軸方向に沿って前記取付部材の外周面に接しない状態で設けられ、前記取付部材を軽量化する肉抜き部と、
前記取付部材を回転可能にする軸体と、
前記肉抜き部に嵌合する嵌合突部を備え、前記取付部材の少なくとも一端部を前記軸体に対して保持する保持部材と
を具備したことを特徴とした回転清掃体。
【請求項２】
吸込口を備えたケース体と、
被掃除面に対向して前記ケース体に回転可能に軸支された請求項１記載の回転清掃体と
を具備したことを特徴とした電気掃除機の吸込口体。
【発明の詳細な説明】
【０００１】
【発明の属する技術分野】
本発明は、外周面に突出して清掃部材が設けられた取付部材を有する回転清掃体およびこれを備えた電気掃除機の吸込口体に関する。
【０００２】
【従来の技術】
従来、この種の電気掃除機の吸込口体に取り付けられる回転清掃体としての回転ブラシは、略円柱状の取付部材としてのブラシ台を備えている。このブラシ台の外周面には、このブラシ台の軸方向に沿って複数の溝部がブラシ台の一端部から他端部に亘って連続的に設けられている。この溝部には、清掃部材としてのブラシ部材、あるいは清掃部材としての掻取部材が取り付けられてブラシ台の径方向に向けて突出している。また、溝部のブラシ台の両端部近傍には、ブラシ台を周方向に向けて螺旋状に捻った状態で保持する保持部材としての受板が取り付けられている。この受板には、溝部に嵌合する嵌合突部としてのリブが一体に設けられている（例えば、特許文献１参照。）。
【０００３】
【特許文献１】
特開平１０−３３４２８号公報（第３−４頁、図１−図４）
【０００４】
【発明が解決しようとする課題】
しかしながら、上述の回転ブラシでは、ブラシ台の外周面にブラシ部材あるいは掻取部材を取り付けた状態で溝部の一部が閉塞されないため、例えば掃除の際に、被掃除面の塵埃がこの溝部に引っ掛かるおそれがあるなど、使い勝手が良好でないという問題点を有している。
【０００５】
本発明はこのような点に鑑みなされたもので、使い勝手を向上した回転清掃体およびこれを備えた電気掃除機の吸込口体を提供することを目的とする。
【０００６】
【課題を解決するための手段】
本発明は、外周面に突出して清掃部材が設けられた軸状の取付部材の少なくとも一端面から軸方向に沿って取付部材の外周面に接しない状態で設けられ、取付部材を軽量化する肉抜き部と、取付部材を回転可能にする軸体と、肉抜き部に嵌合する嵌合突部を備え、取付部材の少なくとも一端部を軸体に対して保持する保持部材とを具備したものである。そして、保持部材の嵌合突部が嵌合する肉抜き部を取付部材の外周面に接しない状態で設けることで、清掃部材を外周面に設けた状態で取付部材の外周面に凹凸が形成されず、例えば掃除の際に塵埃が引っ掛かることなどを防止して、使い勝手を向上できる。
【０００７】
【発明の実施の形態】
以下、本発明の一実施の形態の電気掃除機の構成を図１ないし図５を参照して説明する。
【０００８】
図５において、１は掃除機本体で、この掃除機本体１の内部には、電動送風機２が収容されている。また、この掃除機本体１は、電動送風機２の駆動にて生じる吸気風とともに吸い込んだ塵埃を捕捉して集塵する。
【０００９】
さらに、この掃除機本体１の前側略中央には、外部から空気を吸引する本体吸込口３が開口されている。この本体吸込口３には、湾曲可能な細長略円筒状の接続管としてのホース体４が連通接続されている。このホース体４の先端には、電動送風機２の動作モードなどが選択可能な手許操作部５が設けられている。
【００１０】
そして、この手許操作部５には、掃除機本体１内の電動送風機２などの駆動状態を所定の状態に設定する複数の設定ボタン６が設けられているとともに、掃除する際に作業者が把持する把持部７が基端側に突設されている。また、この手許操作部５の先端には、伸縮可能な細長略円筒状の延長管８が着脱可能に連通接続されている。さらに、この延長管８の先端には、例えば室内の床面の絨毯などの上に設置させて、この絨毯上の塵埃を吸い込む床ブラシ９が着脱可能に連通接続されている。この床ブラシ９は、電気掃除機の吸込口体である。
【００１１】
また、この床ブラシ９は、図３および図４に示すように、前後方向である走行方向に対して横長で、後部略中央が後方に向けて突出する凸字状のケース体１１を備えている。このケース体１１における被掃除面としての床面に対向する下面には、細長矩形状の吸込口１２が開口形成されている。この吸込口１２は、ケース体１１の走行方向の前側に偏位した位置に設けられており、このケース体１１の走行方向に対する幅方向に沿った長手方向を有した横長矩形状に形成されている。
【００１２】
さらに、このケース体１１の吸込口１２の内側には、例えば細長略円筒状の回転清掃体としての回転ブラシ１３が走行方向に向けて回転自在に軸支されて配設されている。この回転ブラシ１３は、ケース体１１の吸込口１２を床面に対向させた際に、この床面に対向するように取り付けられている。そして、この回転ブラシ１３は、細長略円筒状、したがって軸方向を有する取付部材としての清掃台である可撓性を有する軸状のブラシ台１４を備えている。このブラシ台１４は、例えばプラスチックなどの比較的硬質の部材を押し出し成形して設けられている。
【００１３】
またさらに、ブラシ台１４の外周面には、図１ないし図３に示すように、取付凹部としての係合凹部１５が複数、例えば４つ設けられている。これら係合凹部１５は、ブラシ台１４の軸方向に沿ってこのブラシ台１４の一端部から他端部の間に亘って連続した直線状に設けられている。
【００１４】
また、これら係合凹部１５は、長手方向をブラシ台１４の長手方向に沿わせた状態で、ブラシ台１４の周方向に間隔をおいて等間隔な位置にそれぞれ設けられている。そして、これら係合凹部１５は、内部が周方向に幅広となる拡大部１６と、この拡大部１６から外周面に連通しこの拡大部１６より幅狭な連通部１７とにて、段差を設けて断面形状が先端幅狭爪状である凹状に形成されている。ここで、これら係合凹部１５の拡大部１６は、基端側が断面凹弧状に形成されており、先端側の内縁が基端側に対向した平面状に形成されている。
【００１５】
そして、これら各係合凹部１５には、清掃部材としての磨き部材である略細長平板状のブラシ部材２１、および、清掃部材としての略細長平板状のブレード部材、すなわちゴムブレードである掻取部材２２の基端側が、周方向に沿って交互に係止されて取り付けられている。これらブラシ部材２１および掻取部材２２は、ブラシ台１４の各係合凹部１５に基端側が係止された状態で、このブラシ台１４の径方向に向けてブラシ台１４の外周面から壁状にそれぞれ突出している。
【００１６】
ここで、ブラシ部材２１は、ブラシ台１４の係合凹部１５の断面形状に略合致した形状である細長略板状のブラシ取付部２３を基端側に備えている。このブラシ取付部２３は、ブラシ台１４の係合凹部１５に対して係脱可能とされている。また、このブラシ取付部２３の表面部には、ブラシ毛２４が長手方向に沿って壁状に植設されている。
【００１７】
一方、掻取部材２２は、細長平板状で長手方向の一側両面に肉厚に膨出する掻き出し部２６を断面凹凸状に設けた弾性を有するブレード２７を備えている。このブレード２７の長手方向の基端側には、このブレード２７と同材質にて一体にブラシ台１４の係合凹部１５の断面形状に略合致した形状である細長略平板状のブレード取付部２８が形成されている。このブレード取付部２８は、ブラシ台１４の係合凹部１５に対して係脱可能とされている。
【００１８】
さらに、ブラシ台１４には、断面円形状の軸挿通孔としてのシャフト挿通孔３１が同心状に設けられている。
【００１９】
このシャフト挿通孔３１は、ブラシ台１４の一端面から他端面に亘ってこのブラシ台１４の中心軸に沿って軸方向に向けて貫通している。そして、ブラシ台１４内であるシャフト挿通孔３１内には、例えば鋼鉄やステンレス鋼（ＳＵＳ）などの金属にて成形され、ブラシ台１４を回転可能にする略円筒状の軸体としての軸状のシャフト３２が挿通される。そして、このシャフト３２は、ブラシ台１４より硬質な部材にて直線状に成形されており、このブラシ台１４の両端部から、このシャフト３２の両端部のそれぞれが突出した状態で、このブラシ台１４のシャフト挿通孔３１に挿通されて取り付けられている。この結果、ブラシ台１４は、シャフト３２により、押し出し成形時の歪みなどが矯正される。
【００２０】
また、このシャフト３２の両端部には、このシャフト３２の径方向に向けて貫通したピン挿通孔３３が設けられている。これらピン挿通孔３３は互いに平行な軸方向を有している。また、これらピン挿通孔３３は、シャフト３２をブラシ台１４のシャフト挿通孔３１に挿通させた際に、このブラシ台１４の両端部から突出する位置に設けられている。さらに、シャフト３２の各ピン挿通孔３３よりも両端側には、このシャフト３２の周方向に沿った断面凹溝状の係合溝部３４が形成されている。
【００２１】
そして、ブラシ台１４には、シャフト挿通孔３１の周囲に、ブラシ台１４を軽量化する肉抜き部としての複数、例えば４つの肉抜き孔３５が設けられている。これら肉抜き孔３５は、ブラシ台１４の周方向に略等角度に互いに離間されており、ブラシ台１４の一端面から他端面に亘ってこのブラシ台１４の軸方向に沿って貫通している。
【００２２】
また、これら肉抜き孔３５は、例えばシャフト挿通孔３１よりも径小の断面円形状に形成され、各係合凹部１５の間に位置した部分に設けられている。さらに、これら肉抜き孔３５は、ブラシ台１４の外周面からこのブラシ台１４の中心軸側に若干離間された位置に設けられている。言い換えると、これら肉抜き孔３５は、ブラシ台１４の外周面に接しない状態で円筒状に設けられている。すなわち、これら肉抜き孔３５は、ブラシ台１４の外周面側に開口していない。このため、ブラシ台１４の外周面は、係合凹部１５の間の部分が凹凸のない円弧状に形成されている。同様に、これら肉抜き孔３５は、シャフト挿通孔３１の外周から若干離間されている。すなわち、これら肉抜き孔３５は、シャフト挿通孔３１に接しない状態で設けられている。
【００２３】
またさらに、これら肉抜き孔３５は、ブラシ台１４の断面中心を中心とする同一の円周上に各中心が位置している。すなわち、各肉抜き孔３５の断面の中心は、ブラシ台１４の断面の中心からの距離が互いに等しい位置に設けられている。この結果、肉抜き孔３５は、ブラシ台１４の断面の中心に対してそれぞれ略均等な位置に、全体として略対称な形状となるように設けられている。
【００２４】
さらに、ブラシ台１４の両端部には、ブラシ台１４の両端部をシャフト３２に対して保持固定する保持部材としての受体である略円筒状の受板４１がそれぞれ同心状に取り付けられている。これら受板４１は、ブラシ台１４のシャフト挿通孔３１に挿通されたシャフト３２の両端部に嵌合されて取り付けられている。
【００２５】
そして、これら受板４１の中心部には、シャフト３２の端部が挿通される挿通孔４２が設けられている。さらに、この挿通孔４２の一端部である先端部の開口縁には、嵌合突部としての略円柱状のリブ４３が複数、例えば４つ、略等間隔で設けられている。これらリブ４３は、ブラシ台１４の肉抜き孔３５に嵌合されて、このブラシ台１４をシャフト３２に保持固定する。また、これらリブ４３は、受板４１の挿通孔４２の開口方向である軸方向に沿って突出している。さらに、これらリブ４３は、ブラシ台１４の端部を受板４１の先端部に嵌合させた際に、ブラシ台１４の肉抜き孔３５のそれぞれに軸方向に沿って嵌合される。また、これらリブ４３は、ブラシ台１４の周方向である回転方向へのずれを規制する。
【００２６】
さらに、これらリブ４３の基端部である受板４１の周面部には、この受板４１の挿通孔４２の周方向に沿って突出した円環状の内側鍔部４４が同心状に設けられている。この内側鍔部４４は、各リブ４３をブラシ台１４の一端の各肉抜き孔３５に軸方向に沿って移動させて嵌合させて、受板４１にブラシ台１４の一端部を係止した際に、このブラシ台１４の一端面が当接する。さらに、この内側鍔部４４は、ブラシ台１４の最大外径よりも若干大きな外径寸法を有しており、このブラシ台１４の係合凹部１５からのブラシ部材２１および掻取部材２２の抜けを防止する。
【００２７】
また、この内側鍔部４４よりも受板４１の先端側の周面部には、この受板４１の挿通孔４２の周方向に沿って突出した円環状の外側鍔部４５が同心状に設けられている。この外側鍔部４５の外周面側には、外周面に周方向に向けて等間隔にギア溝４６が形成された略円筒状の歯車部４７が同心状に設けられている。そして、この歯車部４７の先端側の内側には、略円筒状の軸受４８が嵌合されている。この軸受４８は、シャフト３２の端部に嵌合されて、このシャフト３２の端部を回転自在に固定する。なお、受板４１の歯車部４７は、軸受４８の外周面を覆って、この軸受４８への塵埃などの侵入を防止する。また、軸受４８の先端側の外周面には、側面視略矩形状の係合面部４９が形成されている。
【００２８】
ここで、床ブラシ９のケース体１１の吸込口１２の走行方向に対する両側縁のそれぞれには、図４に示すように、一対の軸支凹部５１が区画形成されている。これら軸支凹部５１のそれぞれには、受板４１の歯車部４７内に嵌合されてシャフト３２の両端部を回転自在に固定した軸受４８の係合面部４９がそれぞれ係合される。この結果、これら軸受４８は、一対の軸支凹部５１間にシャフト３２を回転自在に支持して固定させる。
【００２９】
さらに、内側鍔部４４と外側鍔部４５との間の受板４１の周面部には、ピン挿通孔５３が穿設されている。このピン挿通孔５３は、各受板４１の径方向に沿って貫通している。また、これらピン挿通孔５３は、受板４１の挿通孔４２にシャフト３２を挿通させた状態で、このシャフト３２のピン挿通孔３３に連通する。そして、これらピン挿通孔５３は、シャフト３２のピン挿通孔３３に位置合わせされて連通された状態で、これらピン挿通孔３３，５３に細長円柱状のピン５４が挿入されて、受板４１とシャフト３２とを軸方向および周方向のそれぞれに対して連結固定させる。
【００３０】
一方、床ブラシ９のケース体１１内の一方の軸支凹部５１の後側には、図４に示すように、駆動手段としてのモータ６１が収容されている。このモータ６１の先端部には、このモータ６１の駆動により回転する回転軸６２が突出している。この回転軸６２には、外周面に図示しないギア溝が形成された歯車６３が同心状に取り付けられている。この歯車６３のギア溝は、受板４１の歯車部４７のギア溝４６に等しい間隔および大きさに形成されている。さらに、この歯車６３は、床ブラシ９のケース体１１内に取り付けられた回転ブラシ１３の一方の受板４１の後側に位置し、この受板４１の回転方向に一致した回転方向を有している。
【００３１】
そして、この歯車６３と回転ブラシ１３の一方の受板４１の歯車部４７との間には、無端状の調帯としてのベルト体６４が橋渡すように巻回されている。このベルト体６４の内周面には、歯車６３のギア溝および歯車部４７のギア溝４６のそれぞれに係合可能な間隔および大きさである図示しないギア溝が形成されている。したがって、モータ６１を駆動させることにより、このモータ６１の回転軸６２の回転により歯車６３が回転し、この歯車６３の回転によってベルト体６４が回転して回転ブラシ１３の一方の受板４１が回転し、この回転ブラシ１３が周方向に向けて回転駆動される。
【００３２】
次に、上記一実施の形態の床ブラシの組み立て方法を説明する。
【００３３】
まず、押し出し成形したブラシ台１４の各係合凹部１５に、ブラシ部材２１のブラシ取付部２３および掻取部材２２のブレード取付部２８を交互に嵌合させて、ブラシ部材２１および掻取部材２２をそれぞれブラシ台１４の長手方向に沿って取り付ける。
【００３４】
次いで、図２に示すように、ブラシ部材２１および掻取部材２２が外周面に取り付けられたブラシ台１４のシャフト挿通孔３１にシャフト３２を挿入する。
【００３５】
さらに、シャフト３２の両端部を受板４１の挿通孔４２に挿通させつつ、これら受板４１の各リブ４３のそれぞれをブラシ台１４の両端部から、このブラシ台１４の各肉抜き孔３５のそれぞれに嵌合させる。
【００３６】
この状態で、一方の受板４１のピン挿通孔５３をシャフト３２の一方のピン挿通孔３３に位置合わせして連通させ、ピン５４を挿入して一方の受板４１をシャフト３２に連結させる。
【００３７】
そして、他方の受板４１を一方の受板４１に対して周方向に向けて捻り、この他方の受板４１のピン挿通孔５３をシャフト３２の他方のピン挿通孔３３に位置合わせして連通させ、ピン５４を挿入して他方の受板４１をシャフト３２に連結させる。
【００３８】
この結果、ブラシ台１４がブラシ部材２１および掻取部材２２とともに周方向に向けて螺旋状に捻られた状態で両受板４１にてシャフト３２に対して保持される。
【００３９】
この後、各受板４１の挿通孔４２から外側へと突出したシャフト３２の両端部に軸受４８を回転可能に嵌合させて取り付けて回転ブラシ１３とする。
【００４０】
そして、この回転ブラシ１３の各軸受４８のそれぞれをケース体１１の軸支凹部５１のそれぞれに嵌合させて、このケース体１１の吸込口１２内に回転ブラシ１３を回転自在に軸支させて床ブラシ９を完成する。
【００４１】
次に、上記一実施の形態の掃除動作を説明する。
【００４２】
まず、掃除をする際には、掃除機本体１にホース体４および延長管８を介して床ブラシ９を接続する。そして、このホース体４の把持部７を持って押動させて、床ブラシ９を床面上で前後に走行させる。
【００４３】
このとき、掃除機本体１内の電動送風機２の駆動により発生する吸込力によって、床ブラシ９の吸込口１２から空気とともに床面上の塵埃が吸い込まれる。
【００４４】
さらに、ホース体４の手許操作部５の所定の設定ボタン６をオンして、床ブラシ９の回転ブラシ１３を回転駆動させた場合には、この回転ブラシ１３のブラシ部材２１の回転により、このブラシ部材２１のブラシ毛２４にて床面がブラッシングされる。すなわち、この床面が板の間などである場合には、この床面にこびりついた塵埃が床面から掃き取られて取り除かれて磨かれ、床ブラシ９の吸込口１２へと吸い込まれる。
【００４５】
同時に、この回転ブラシ１３の掻取部材２２の回転により、床面上の塵埃が掃き取られる。すなわち、この床面が絨毯などである場合には、掻取部材２２のブレード２７の掻き出し部２６によって、絨毯の中に入り込んだ塵埃が外部へと掻き出されて取り除かれて、床ブラシ９の吸込口１２へと吸い込まれる。
【００４６】
この後、この床ブラシ９の吸込口１２から塵埃とともに吸い込まれた空気は、この床ブラシ９から延長管８およびホース体４を順次介して掃除機本体１の本体吸込口３へと吸い込まれた後、この掃除機本体１内に収容させた集塵パックへと吸い込まれて空気とともに吸い込んだ塵埃が捕捉される。
【００４７】
上述したように、上記一実施の形態では、ブラシ部材２１および掻取部材２２が取り付けられたブラシ台１４の外周面に接しないように、かつ軸方向の両端間を貫通してブラシ台１４を軽量化する肉抜き孔３５を設け、ブラシ台１４の両端部を周方向に向けて互いに相対的に捻った状態でシャフト３２に対して保持する受板４１に、肉抜き孔３５に嵌合するリブ４３を設ける構成とした。
【００４８】
このため、ブラシ台１４の外周面に、係合凹部１５以外の凹凸が形成されないため、ブラシ部材２１および掻取部材２２の基端側を各係合凹部１５に取り付けた状態でブラシ台１４の外周面に凹凸が形成されず、掃除の際に塵埃、あるいは被掃除面としての絨毯の毛などがブラシ台１４の外周面に引っ掛かることなどを防止できる。
【００４９】
この結果、掃除の際に例えば一旦回転ブラシ１３を停止させてこの回転ブラシ１３に引っ掛かった塵埃などを除去する手間を抑制でき、使い勝手を向上できる。
【００５０】
また、ブラシ台１４の外周面に接しないように肉抜き孔３５を設けることで、ブラシ台１４の外周面に接するようにこのブラシ台１４の外周面に肉抜き部を溝状に切り欠いて設ける場合と比較してブラシ台１４の強度を確保し、リブ４３がブラシ台１４（肉抜き孔３５）に与える負荷を低減できるとともに、肉抜き孔３５の径寸法を大きくできることで、リブ４３の太さである外径寸法をも大きくでき、ブラシ台１４を捻った際などにリブ４３に加わる応力、すなわちストレスに対するリブ４３の強度を向上できる。
【００５１】
そして、肉抜き孔３５が受板４１のリブ４３を嵌合させる嵌合部を兼ねているため、リブ４３を嵌合させる嵌合部を肉抜き孔３５とは別個に設ける場合と比較して、ブラシ台１４を小型化できる。
【００５２】
しかも、肉抜き孔３５によりブラシ台１４が軽量化されることで、回転ブラシ１３を回転させる際にモータ６１に加わる負荷を低減でき、モータ６１の小型化、あるいは省電力化が可能になるなど、使い勝手をより向上できる。
【００５３】
なお、上記一実施の形態において、肉抜き孔３５は、ブラシ台１４の両端間を貫通せずに、ブラシ台１４の両端部にそれぞれ設ける構成でもよい。
【００５４】
同様に、シャフト挿通孔３１は、ブラシ台１４の両端部にそれぞれ設ける構成でもよい。この場合には、シャフト３２を、ブラシ台１４の両端部のシャフト挿通孔３１に挿入して取り付ける。
【００５５】
また、ブラシ台１４にシャフト挿通孔３１を設けずに肉抜き孔３５のみを設け、かつ受板４１に軸体を設けて回転ブラシ１３を回転させる構成としてもよい。
【００５６】
さらに、ブラシ台１４は、例えば捻り押し出し成形などで予め螺旋状に捻られた状態で形成されたものでもよい。
【００５７】
またさらに、肉抜き孔３５の数および断面形状などは、ブラシ台１４の周方向にバランス良く配置されるようにすれば、上記構成に限定されない。
【００５８】
そして、床ブラシ９に回転ブラシ１３を複数配設してもよい。また、この回転ブラシ１３をモータ６１にて回転駆動させたが、電動送風機２による吸気風にて回転駆動させる構成とすることもできる。
【００５９】
また、ブラシ台１４に４つの係合凹部１５を設けたが、このブラシ台１４に取り付けられる清掃部材の個数に合わせて、少なくとも一つ以上あればよい。また、この清掃部材としては、ブラシ部材２１や掻取部材２２に限らず、例えば布ブレードを有した床磨部材などでもよい。さらに、ブラシ台１４の係合凹部１５にブラシ部材２１および掻取部材２２を交互に取り付けたが、交互に限られず、ブラシ台１４の各係合凹部１５のそれぞれに一種類の掻取部材２２のみを取り付けたり、複数種類を取り付けたりしてもよい。
【００６０】
さらに、キャニスタ型の電気掃除機に限らず、床ブラシ９が掃除機本体１の下面に直接形成されたアップライト型、その他、掃除機本体１と床ブラシ９とが一体化された自走式の電気掃除機あるいはハンディ型などであっても対応させて用いることができる。
【００６１】
【発明の効果】
本発明によれば、保持部材の嵌合突部が嵌合する肉抜き部を取付部材の外周面に接しないように設けることで、清掃部材を外周面に設けた状態で取付部材の外周面に凹凸が形成されず、例えば掃除の際に塵埃が引っ掛かることなどを防止して、使い勝手を向上できる。
【図面の簡単な説明】
【図１】本発明の一実施の形態の回転清掃体の一部を示す分解斜視図である。
【図２】同上回転清掃体を示す斜視図である。
【図３】同上回転清掃体を備えた電気掃除機の吸込口体を示す縦断面図である。
【図４】同上電気掃除機の吸込口体を示す平面図である。
【図５】同上電気掃除機の吸込口体を備えた電気掃除機を示す斜視図である。
【符号の説明】
９    電気掃除機の吸込口体としての床ブラシ
１１    ケース体
１２    吸込口
１３    回転清掃体としての回転ブラシ
１４    取付部材としてのブラシ台
２１    清掃部材としてのブラシ部材
２２    清掃部材としての掻取部材
３２    軸体としてのシャフト
３５    肉抜き部としての肉抜き孔
４１    保持部材としての受板
４３    嵌合突部としてのリブ
【図１】
2004344345.tif 000003
【図２】
2004344345.tif 000004
【図３】
2004344345.tif 000005
【図４】
2004344345.tif 000006
【図５】
2004344345.tif 000007